(57)【要約】  骨とインプラント材との間を短時間で容易に接合するために、骨とインプラント材を接合する骨の接合方法において、骨５１またはインプラント材５２にレーザ光を照射して、骨５１またはインプラント材５２を、骨５１とインプラント材５２との接合位置まで穴あけ処理する開口ステップと、開口ステップであけた穴を介して骨５１とインプラント材５２との接合位置にレーザ光を照射して骨５１とインプラント材５２とを接合させる接合ステップとを含む。
2008023708.tif 000002
【特許請求の範囲】
【請求項１】
骨とインプラント材を接合する骨の接合方法において、
前記骨とインプラント材との接合位置にレーザ光を照射して前記骨とインプラント材とを接合させる接合ステップを含むことを特徴とする骨の接合方法。
【請求項２】
前記接合ステップは、前記レーザ光の照射によって溶融させたインプラント材を前記骨に開けられた穴に流し込むよう前記骨とインプラント材との接合位置にレーザ光を照射することを特徴とする請求項１に記載の骨の接合方法。
【請求項３】
前記接合ステップは、前記レーザ光の照射によって膨張させたインプラント材を前記骨に開けられた穴に充填させるよう前記骨とインプラント材との接合位置にレーザ光を照射することを特徴とする請求項１に記載の骨の接合方法。
【請求項４】
前記接合ステップの前に、前記骨または前記インプラント材にレーザ光を照射して、前記骨または前記インプラント材を前記骨とインプラント材との接合位置まで穴あけ処理する開口ステップをさらに含み、
前記接合ステップは、前記開口ステップであけた穴を介して前記骨とインプラント材との接合位置にレーザ光を照射することを特徴とする請求項１に記載の骨の接合方法。
【請求項５】
前記接合ステップは、前記骨またはインプラント材に予めあけられた穴を介して前記骨とインプラント材との接合位置にレーザ光を照射することを特徴とする請求項１に記載の骨の接合方法。
【請求項６】
前記接合ステップは、
前記骨とインプラント材との接合位置にレーザ光を照射して前記骨とインプラント材とを接合させる際の前記骨および／またはインプラント材の加工状態を検出する加工状態検出ステップと、
検出した加工状態に応じて前記骨とインプラント材とを接合させる際の前記骨および／またはインプラント材の加工条件を決定する加工条件決定ステップと、
決定した加工条件に基づいて、前記骨とインプラント材とを接合させる際のレーザ光の照射を制御する制御ステップと、
を含むことを特徴とする請求項１に記載の骨の接合方法。
【請求項７】
前記接合ステップは、
前記骨とインプラント材との接合位置にレーザ光を照射して前記骨とインプラント材とを接合させる際の前記骨とインプラント材とを密着させる密着ステップと、
前記骨とインプラント材との密着状態および／または要求強度に応じて前記骨とインプラント材とを接合させる際の前記骨および／またはインプラント材の加工条件を決定する加工条件決定ステップと、
決定した加工条件に基づいて、前記骨とインプラント材とを接合させる際のレーザ光の照射を制御する制御ステップと、
を含むことを特徴とする請求項１に記載の骨の接合方法。
【請求項８】
前記接合ステップは、
前記骨とインプラント材との接合位置にレーザ光を照射して前記骨とインプラント材とを接合させる際の前記骨とインプラント材とを密着させる密着ステップと、
前記骨とインプラント材との接合位置にレーザ光を照射して前記骨とインプラント材とを接合させる際の前記骨および／またはインプラント材の加工状態を検出する加工状態検出ステップと、
前記骨とインプラント材との密着状態、要求強度および／または検出した加工状態に応じて前記骨とインプラント材とを接合させる際の前記骨および／またはインプラント材の加工条件を決定する加工条件決定ステップと、
決定した加工条件に基づいて、前記骨とインプラント材とを接合させる際のレーザ光の照射を制御する制御ステップと、
を含むことを特徴とする請求項１に記載の骨の接合方法。
【請求項９】
前記接合ステップは、
前記骨の欠損部に前記インプラント材を挿入する挿入工程と、
前記骨の欠損部に挿入されたインプラント材に前記レーザ光を照射して前記インプラント材を溶融させる溶融工程と、
前記レーザ光で前記骨を燃焼させるとともに、溶融した前記インプラント材に前記骨の燃焼によって生じるガス雰囲気の中で発泡状態の気泡を発生させる発泡工程と、
前記インプラントへの前記レーザ光の照射を停止することによって前記発泡状態の気泡を閉じ込めて凝固させた発泡層を前記インプラント材に生成し、凝固させた発泡層と前記骨とを接合する凝固工程と、
を含むことを特徴とする請求項１に記載の骨の接合方法。
【請求項１０】
前記インプラント材は、アパタイトであることを特徴とする請求項１に記載の骨の接合方法。
【請求項１１】
骨および／またはインプラント材にレーザ光を照射して骨および／またはインプラント材のレーザ加工を行うレーザ加工装置において、
前記骨とインプラント材との接合位置にレーザ光を照射するレーザ照射部と、
前記骨とインプラント材とを接合させる際の前記骨および／またはインプラント材の加工条件を決定する加工条件決定部と、
前記加工条件決定部が決定した加工条件に基づいて、前記骨とインプラント材とを接合させる際のレーザ光の照射を制御する制御部と、
を備えることを特徴とするレーザ加工装置。
【請求項１２】
前記レーザ照射部が前記接合位置にレーザ光を照射して前記骨とインプラント材とを接合させる際の前記骨および／またはインプラント材の加工状態を検出する加工状態検出部をさらに備え、
前記加工条件決定部は、前記加工状態検出部が検出した加工状態に応じて前記骨および／またはインプラント材の加工条件を決定することを特徴とする請求項１１に記載のレーザ加工装置。
【請求項１３】
前記レーザ照射部は、前記骨またはインプラント材にレーザ光を照射して前記骨またはインプラント材の穴あけ処理を行なうとともに、前記加工状態検出部は前記骨またはインプラント材の穴あけ処理を行なう際の加工状態を検出し、かつ前記加工条件決定部は前記骨またはインプラント材の穴あけ処理を行なう際の加工条件を決定し、かつ前記制御部は前記骨またはインプラント材の穴あけ処理を行なう際のレーザ光の照射を制御することを特徴とする請求項１１に記載のレーザ加工装置。
【請求項１４】
前記制御部は、前記レーザ照射部が照射するレーザ光のエネルギーレベルを制御するエネルギーレベル制御部を有することを特徴とする請求項１１に記載のレーザ加工装置。
【請求項１５】
前記制御部は、前記レーザ照射部が照射するレーザ光の種類の切替えを制御するレーザ切替制御部を有することを特徴とする請求項１１に記載のレーザ加工装置。
【請求項１６】
前記制御部は、前記レーザ照射部が照射するレーザ光の焦点位置を制御する焦点位置制御部を有することを特徴とする請求項１１に記載のレーザ加工装置。
【請求項１７】
前記制御部は、前記レーザ照射部が照射するレーザ光のビームオン時間を制御することを特徴とする請求項１１に記載のレーザ加工装置。
【請求項１８】
前記加工状態検出部は、前記骨および／またはインプラント材の輝度を検出する輝度検出部を有し、
前記加工条件決定部は、前記輝度検出部が検出した輝度に応じた加工条件を決定することを特徴とする請求項１１に記載のレーザ加工装置。
【請求項１９】
前記加工状態検出部は、前記骨および／またはインプラント材へのレーザ照射時間を計測する時間計測部を有し、
前記加工条件決定部は、前記時間計測部が計測したレーザ照射時間に応じた加工条件を決定することを特徴とする請求項１１に記載のレーザ加工装置。
【請求項２０】
成形済みの緻密質基体で形成された基部層と、
前記基部層のうち骨との間で接合対象となる接合部に所定の表面処理を施すことによって生成された層であって発泡状態の気泡を閉じ込めて凝固させた発泡層と、
を備えることを特徴とするインプラント材。
【請求項２１】
前記発泡層は、当該発泡層が前記表面処理された側から前記発泡層の表面を研磨または研削されることによって前記気泡の断面が露出させられていることを特徴とする請求項２０に記載のインプラント材。
【請求項２２】
前記発泡層は、前記気泡の径および／または気泡の密度を変化させた層が複数種類組み合わせられていることを特徴とする請求項２０に記載のインプラント材。
【請求項２３】
前記基部層はアパタイトであり、前記発泡層は発泡アパタイトであることを特徴とする請求項２０に記載のインプラント材。
【請求項２４】
骨に熱源を照射して前記骨を燃焼させる骨燃焼工程と、
前記骨の燃焼によって生じるガス雰囲気の中で前記熱源を焼結済みのインプラント材に照射して前記インプラント材を溶融させ、溶融したインプラント材に発泡状態の気泡を閉じ込めて凝固させた発泡層を生成する発泡層生成工程と、
を含むことを特徴とするインプラント材製造方法。
【請求項２５】
前記発泡層生成工程の後に、前記インプラント材が熱源を照射された側から前記発泡層の表面を研磨または研削して前記気泡の断面を露出させる気泡露出工程をさらに含むことを特徴とする請求項２４に記載のインプラント材製造方法。
【請求項２６】
前記発泡層生成工程は、前記気泡の径および／または気泡の密度を変化させた層で、かつ前記発泡層に要求される細胞浸潤性または強度に応じた層を複数種類組み合わせた発泡層を、前記熱源の照射を制御することによって生成することを特徴とする請求項２４または２５に記載のインプラント材製造方法。
【請求項２７】
骨に熱源を照射して前記骨を燃焼させる骨燃焼工程と、
前記骨の燃焼によって生じるガス雰囲気の中でインプラント材を焼結させるとともに、前記インプラント材に発泡状態の気泡を閉じ込めて凝固させた発泡層を生成する発泡層生成工程と、
を含むことを特徴とするインプラント材製造方法。
【請求項２８】
成形済みの緻密質基体で形成されたインプラント材に熱源を照射して前記インプラント材に新たな加工層を生成するインプラント材製造装置において、
前記インプラント材のうち表面改質の対象となる表面改質位置に前記熱源を照射する熱源照射部と、
前記インプラント材の表面改質処理を行う際の前記インプラント材の加工条件を決定する加工条件決定部と、
前記加工条件決定部が決定した加工条件に基づいて、前記インプラント材の表面改質処理を行う際の熱源の照射を制御する制御部と、
を備えることを特徴とするインプラント材製造装置。
【請求項２９】
前記レーザ照射部が前記表面改質位置に熱源を照射して前記インプラント材の表面改質を行う際のインプラント材の加工状態を検出する加工状態検出部をさらに備え、
前記加工条件決定部は、前記加工状態検出部が検出した加工状態に応じて前記インプラント材の加工条件を決定することを特徴とする請求項２８に記載のインプラント材製造装置。
【請求項３０】
前記制御部は、前記レーザ光照射部が照射する熱源のエネルギーレベルを制御するエネルギーレベル制御部を有することを特徴とする請求項２８に記載のインプラント材製造装置。
【請求項３１】
前記制御部は、前記レーザ照射部が照射する熱源の種類の切替えを制御する熱源切替制御部を有することを特徴とする請求項２８に記載のインプラント材製造装置。
【請求項３２】
前記制御部は、前記熱源照射部が照射する熱源の焦点位置を制御する焦点位置制御部を有することを特徴とする請求項２８に記載のインプラント材製造装置。
【請求項３３】
前記制御部は、前記熱源照射部が照射する熱源の照射オン時間を制御することを特徴とする請求項２８に記載のインプラント材製造装置。
【請求項３４】
前記加工状態検出部は、前記インプラント材の輝度を検出する輝度検出部を有し、
前記加工条件決定部は、前記輝度検出部が検出した輝度に応じた加工条件を決定することを特徴とする請求項２８に記載のインプラント材製造装置。
【請求項３５】
前記加工状態検出部は、インプラント材への熱源照射時間を計測する時間計測部を有し、
前記加工条件決定部は、前記時間計測部が計測した熱源照射時間に応じた加工条件を決定することを特徴とする請求項２８に記載のインプラント材製造装置。
【請求項３６】
前記インプラント材は、アパタイトであることを特徴とする請求項２８に記載のインプラント材製造装置。
【請求項３７】
前記熱源は、レーザ光、プラズマアーク、電子ビームの少なくとも１つであることを特徴とする請求項２８に記載のインプラント材製造装置。
【発明の詳細な説明】
【技術分野】
【０００１】
本発明は、骨とインプラント材とを接合するレーザ加工装置、骨の接合方法、インプラント材、インプラント材製造方法およびインプラント材製造装置に関するものである。
【背景技術】
【０００２】
近年、骨（骨組織）と生体材料であるセラミックや複合素材などのインプラント材とを接合させる技術（外科手術用の装置など）の開発が進められている。このような、インプラント材と骨の接合においては、インプラント材と骨との接合中に相互の位置関係に僅かなずれが発生した場合であっても、その接合完了は大幅に遅れる。また、僅かなずれに気づかずインプラント材と骨との接合を継続した場合、ずれを有した状態で最終結合してしまうこととなる。従来、これらの相互の位置関係に僅かなずれを発生させないために、強固でしかも重量の大きな固定用の治具にてその結合個所を固定していたため、インプラント材と骨の接合には手間がかかった。【０００３】
さらに、インプラント材と骨の接合の強度を増すためには、チタンなどの金属性製結合ボルトを用いてインプラント材と骨とを完全に結合させた後、ボルトを撤去していたため、インプラント材と骨の接合に多大な時間を要し患部の治療などに多くの時間を費やしていた。このため、骨とインプラント材の接合を短時間で容易に行なうことが望まれている。【０００４】
これまで、骨接着を助成して骨に対するインプラント材（外科用の移植材料）の位置を安定化するために、インプラント材にテクスチャ加工表面を使用して、骨組織とインプラント材とを短時間で結合させていた。例えば、患者の大腿骨内に定着する大腿骨副集合体および患者の股臼内に定置する股臼副集合体かなる人工臀部においては、大腿骨副集合体が例えばテクスチャー加工表面を設けられた人工幹を含んでおり、股臼集合体が例えばテクスチャー加工面を設けられた人工カップを含んでいる。【０００５】
これらのテクスチャー加工表面は、骨の増殖を促進するために設けられているものであるが、骨とインプラント材の結合までには、（１）位置決め、（２）ギプスによる固定、（３）骨の増殖の工程を必要とし、最終的な完治の固定（接合）までには数ヶ月の期間を要することもあった。【０００６】
例えば、特許文献１のレーザ加工方法では、インプラント材と骨との「スクラッチ嵌合」を容易にするアンダーカットおよび相互結合凹部を含む表面を提供して、インプラント材と骨との接合時間を短縮し、安定化させている。【０００７】
また、特許文献２のレーザ加工方法は、水酸化リン灰石により強力に吸収される波長のレーザ光線を発生し、歯組織を切断している。また、特許文献３のレーザ加工方法では、ヒドロキシアパタイトに強吸収される波長のレーザ光線を発生させ、歯のエナメル質ならびに象牙質および骨を含む無機質化生理組織を切除している。【０００８】
また、特許文献４に記載のレーザ加工方法は、歯のエナメル質や象牙質の２．０から３．０μｍの波長を持つレーザ光によって歯のエナメル質や象牙質を取り除いている。また、特許文献５に記載のレーザ加工方法では、９．６μｍの放出波長を有するレーザを使用して、骨物質、歯の硬質物質および動脈硬化性沈着を剥離している。【０００９】
また、これまで、骨との間で強固な接合を容易に行なえるインプラント材の研究として、骨の接着を助成して骨に対するインプラント材の位置を安定化させる技術の研究が進められている。例えば、多孔性生態材料に関する技術は、細胞浸潤性に優れる特性として期待され、盛んに研究が行われている。【００１０】
従来までの多孔性生態材料に関する研究では、セラミックス本来の剛性を保つことができないスポンジ状構造体に関する研究であったり、製造工程が複雑で品質的にばらつきが多くなる多孔相を基材に接合する研究であった。また、生成した孔の寸法制御が困難になるアパタイト粉末を溶射する研究であったり、セラミックスの表面のみへの凹凸生成で、その内側構造への検討がなされていない研究であった。また、従来までのレーザ加工方法では、インプラント材などの除去加工を行なっているが、表面改質に関する検討は全くなされていない。【００１１】
例えば、特許文献６には、炭酸アパタイトをスポンジ状に呈した多孔質や超多孔質に設定し、これをコラーゲンと複合化する技術が開示されている。また、特許文献７には、ヒドロキシアパタイトとゲル状コラーゲンを有するスポンジを、形成外科用骨補填材料として使用する技術が開示されている。また、特許文献８，９には、骨補填材料の設計において基材全体に多孔性を付与する技術が開示されている。【００１２】
また、特許文献１０には、緻密基体と多孔質基体とを別工程で作成した後、接触させた状態で乾燥させ焼結する技術が開示されている。また、特許文献１１には、ガラス層にアパタイト粉末を混合分散し、焼成後にエッチングで空孔を露出させる技術が開示されている。また、特許文献１２には、ハイドロキシアパタイトまたはリン酸三カルシウムの粉末をプラズマアークを使用して基材表面に溶着させる技術が開示されている。【００１３】
【特許文献１】特開２００２-３０１０９１号公報
【特許文献２】特開平４−５３５５０号公報
【特許文献３】特開平４−３００５３５号公報
【特許文献４】特開平２−５０４４７８号公報
【特許文献５】特開昭６２−５０２１７０号公報
【特許文献６】特開２００３−１６９８４５号公報
【特許文献７】米国特許第５０７１４３６号明細書
【特許文献８】米国特許第５７７６１９３号明細書
【特許文献９】米国特許第６１８７０４７号明細書
【特許文献１０】特開昭６４−３７４７５号公報
【特許文献１１】特開平６−７４２５号公報
【特許文献１２】特開昭６４−５２４７１号公報
【発明の開示】
【発明が解決しようとする課題】
【００１４】
しかしながら、上記１つ目の従来技術では、骨の増殖を促進することはできるが、骨とインプラント材の間を短時間で容易に固定（接合）することはできないといった問題があった。【００１５】
また、上記２つ目の従来技術では、水酸化リン灰石によって強力に吸収される波長のレーザ光線を発生させて歯組織を切断しているため、他の物質の切断や接合を短時間で容易に行なえないといった問題があった。【００１６】
また、上記３つ目および４つ目の従来技術では、無機質化生理組織の切断除去はできるが、歯とインプラント材の穴空けや接合には対応できないといった問題があった。【００１７】
また、上記５つ目の従来技術では、骨物質などの除去加工後に骨とインプラント材の接合を容易に行なうことはできず、骨とインプラント材の間を短時間で容易に接合することはできないといった問題があった。【００１８】
また、上記１つ目の従来技術では、インプラント材と骨との接合面のみに凹凸部を提供しているので、インプラント材料内部への組織の浸潤浸透がほとんど起こらない。このため、インプラント材と骨との間の強固な接合を短時間で行なうことができないといった問題があった。【００１９】
また、上記５つ目の従来技術は、硬質物質および動脈硬化性沈着の除去加工に関するものであり、インプラント材の組織の浸潤浸透がほとんど起こらない。このため、インプラント材と骨との間の強固な接合を短時間で行なうことができないといった問題があった。【００２０】
また、上記６つ目〜９つ目の従来技術では、細胞浸潤性に優れたアパタイトの構造の要素として気泡の重要性が指摘されているが、アパタイト材料全体が同一の気泡割合や同一の結晶構造を有する素材となっている。このため、気泡割合が多い素材、スポンジ状の素材、多孔性材料などによって成形された生体部品は、強い応力の加わる部分に使われた場合に破損する恐れがある。このことから、これらの生体部品は、比較的小さな応力が加わる部分へしか適用することができないといった問題があった。さらに、これらの生体部品の製造工程は複雑であり、品質管理が困難であるといった問題があった。【００２１】
また、上記１０番目〜１２番目の従来技術では、表面改質部分の素材と基材とを別工程で製造するとともに、これらの製造工程とは別に表面改質部分の素材と基材とを接合する工程を要するため、工程が複雑になるといった問題があった。このため、品質管理が複雑になり、完成品の寸法精度が悪化するといった問題があった。【００２２】
本発明は、上記に鑑みてなされたものであって、骨とインプラント材との間を短時間で容易に接合するレーザ加工装置および骨の接合方法を得ることを目的とする。【００２３】
また、骨とインプラント材との間を短時間で容易に接合できるインプラント材、インプラント材製造方法、骨の接合方法およびインプラント材製造装置を得ることを目的とする。
【課題を解決するための手段】
【００２４】
上述した課題を解決し、目的を達成するために、本発明は、骨とインプラント材を接合する骨の接合方法において、前記骨とインプラント材との接合位置にレーザ光を照射して前記骨とインプラント材とを接合させる接合ステップを含むことを特徴とする。
【発明の効果】
【００２５】
この発明によれば、骨とインプラント材との接合位置にレーザ光を照射して骨とインプラント材とを接合させるので、骨とインプラント材とを短時間で容易に接合することが可能になるという効果を奏する。
【図面の簡単な説明】
【００２６】
【図１】図１は、実施の形態に係るレーザ加工装置の構成を示すブロック図である。
【図２】図２は、骨にレーザ光を照射して穴あけを実施した場合の処理結果を示す図である。
【図３】図３は、インプラント材にレーザ光を照射して溶融させた場合の処理結果を示す図である。
【図４】図４は、骨とインプラント材の境界部分にレーザ照射を行なった場合の接合処理を説明するための図である。
【図５】図５は、下部がインプラント材で上部が骨である被加工物の上部からレーザ照射を行なった場合の接合処理を説明するための図である。
【図６】図６は、下部が骨で上部がインプラント材である被加工物の上部からレーザ照射を行なった場合の接合処理を説明するための図である。
【図７】図７は、厚板の骨とインプラント材の接合処理を説明するための図である。
【図８】図８は、薄板の骨とインプラント材を接合した場合の画像を示す図である。
【図９】図９は、本発明の実施の形態２に係るアパタイトの構造を示す図である。
【図１０】図１０は、発泡層の含有成分の分析結果の一例を示す図である。
【図１１】図１１は、骨の欠損部へインプラント材を充填してアパタイトを製造する手順を説明するための図である。
【図１２】図１２は、図１１に示した手順によって製造したアパタイトの画像を示す図である。
【図１３】図１３は、インプラント材の上面に骨を配設してアパタイトを製造する手順を説明するための図である。
【図１４】図１４は、アパタイト表面層を溶融させるための加工条件の一例を示す図である。
【符号の説明】
【００２７】
１  レーザ加工装置
１０  レーザ照射部
２１  エネルギーレベル制御部
２２  レーザ切替制御部
２３  焦点位置制御部
３０  加工条件決定部
４１  輝度検出部
４２  時間計測部
５１  骨
５２  インプラント材
１００  発泡層
１０１  アパタイト
１５０  境界部
２００  基材
【発明を実施するための最良の形態】
【００２８】
以下に、本発明に係るレーザ加工装置、骨の接合方法、インプラント材、インプラント材製造方法およびインプラント材製造装置の実施の形態を図面に基づいて詳細に説明する。なお、この実施の形態によりこの発明が限定されるものではない。【００２９】
実施の形態１．
図１は、本発明の実施の形態に係るレーザ加工装置の構成を示すブロック図である。レーザ加工装置１は、レーザ照射部１０、エネルギーレベル制御部２１、レーザ切替制御部２２、焦点位置制御部２３、加工条件決定部３０、輝度検出部４１、時間計測部４２を備えている。【００３０】
なお、ここでのエネルギーレベル制御部２１、レーザ切替制御部２２、焦点位置制御部２３が特許請求の範囲に記載の制御部に対応し、ここでの輝度検出部４１、時間計測部４２が特許請求の範囲に記載の加工状態検出部に対応する。また、輝度検出は作業者の熟練度に応じて、熟練した作業者の視覚的判断で処理することも可能であるため、輝度検出部４１を備えない装置でも対応することはできる。【００３１】
レーザ加工装置１は、インプラント材（人口骨や人工歯根）と骨（歯）との接合工程（結合工程）において、骨の増殖が十分促進するまでの間および将来に渡ってインプラント材と骨との接合位置関係を強固に保つため、所定の制御に基づいてインプラント材や骨にレーザを照射する装置である。ここでのレーザ加工装置１は、インプラント材や骨にレーザを照射して、インプラント材や骨への穴あけを行なうとともに、インプラント材と骨の接合を行なう。【００３２】
レーザ照射部１０は、インプラント材や骨などの被加工物にレーザを照射する。レーザ照射部１０は、エネルギーレベル制御部２１、レーザ切替制御部２２、焦点位置制御部２３と接続しており、エネルギーレベル制御部２１、レーザ切替制御部２２、焦点位置制御部２３の制御に基づいて所定の加工条件でインプラント材や骨にレーザ照射を行なう。【００３３】
レーザ切替制御部２２は、加工条件決定部３０からの指示に基づいて、レーザ照射部１０が被加工物に照射するレーザ光の種類を切替させる。レーザ切替制御部２２は、例えばＣＯ2レーザ、ＹＡＧ（Yttrium  Aluminium  Garnet）レーザ、ＣＯレーザ、ＵＶ（Ultra  Violet  rays）−ＹＡＧレーザ、グリーンレーザ、エキシマレーザなどから１つのレーザ光を選択してレーザ照射部１０が被加工物に照射するレーザ光の種類を切替させる。【００３４】
焦点位置制御部２３は、加工条件決定部３０からの指示に基づいて、レーザ照射部１０が被加工物に照射するレーザ光の焦点位置を制御する。エネルギーレベル制御部２１は、加工条件決定部３０からの指示に基づいて、レーザ照射部１０が被加工物に照射するレーザ光のエネルギーレベルを制御する。【００３５】
加工条件決定部３０は、所定の加工条件でインプラント材や骨にレーザ照射を行なうよう、エネルギーレベル制御部２１、レーザ切替制御部２２、焦点位置制御部２３に指示を送る。加工条件決定部３０は、被加工物に照射するレーザ光のエネルギーレベルに関する指示をエネルギーレベル制御部２１に送り、被加工物に照射するレーザ光の種類に関する指示をレーザ切替制御部２２に送り、被加工物に照射するレーザ光の焦点位置に関する指示を焦点位置制御部２３に送る。【００３６】
加工条件決定部３０は、輝度検出部４１から受けた被加工物の輝度や時間計測部４２から受けた計測時間（レーザ加工を開始してからの時間など）に基づいて、インプラント材や骨にレーザ照射を行なう際の加工条件を決定し、決定した加工条件に基づいてエネルギーレベル制御部２１、レーザ切替制御部２２、焦点位置制御部２３に指示を送る。【００３７】
輝度検出部４１は、被加工物の加工状態として被加工物の輝度（被加工物のレーザ光照射部の輝度）を検出し、加工条件決定部３０に送る。時間計測部４２は、被加工物の加工状態としてレーザ加工を開始してからの経過時間、インプラント材の穴あけを開始してからの経過時間、骨の穴あけを開始してからの経過時間、インプラント材と骨を接合するために接合部分（骨とインプラント材の結合部分）にレーザ光を照射した場合の経過時間などを計測し、計測中の経過時間を加工条件決定部３０に送る。【００３８】
なお、ここでのインプラント材としては、例えばチタンやステンレスなどの金属、レジンなどの樹脂、アパタイトセラミックスなどの生体活性セラミックスやアルミナセラミックスなどの生体不活性セラミックスなどを用いる。なお、これら以外の材料をインプラント材として用いてもよい。【００３９】
つぎに、レーザ加工装置１による具体的なレーザ加工処理について説明する。レーザ加工装置１のレーザ照射部１０は、例えばレーザ光として直径約０．３ｍｍ以下に集光させたエネルギ密度が１０3Ｗ／ｃｍ2以上の高エネルギ密度を適用する。これにより、レーザ光による加工領域を絞る（局部的にする）ことが可能となり、かつ短時間で被加工物への穴あけ加工や溶融加工が可能となる。また、レーザ加工装置１は、加工条件決定部３０による加工条件（レーザ光の出力条件）の選択（決定）によって、被加工物を溶融させる時間（溶融時間）、被加工物の溶融範囲を制御することができる。また、レーザ加工装置１は、加工条件決定部３０による加工条件の選択によって、金属、樹脂、セラミックスなどの被加工物を幅広く穴あけ処理や溶融処理することができる。【００４０】
つぎに、レーザ加工装置１による具体的なレーザ加工処理として、被加工物の穴あけ処理について説明する。図２は、骨にレーザ光を照射して穴あけを実施した場合の処理結果を示す図である。ここでは、厚さ１０ｍｍの骨にＣＯ2レーザ（レーザ光の出力が５００Ｗ）を照射した場合の骨の上面を示している。図２では、照射したレーザ光のビームオン（照射オン）時間を０．５秒と１．０秒として穴あけを実施した場合の骨の外観写真（穴径を拡大させた結果）を、焦点位置Ｚ毎に示している。【００４１】
焦点位置Ｚ＝０は、焦点を骨表面に合わせた場合であり、焦点位置Ｚ＝５は、焦点を骨表面から上方に５ｍｍずらした場合であり、焦点位置Ｚ＝１０は、焦点を骨表面から上方に１０ｍｍずらした場合である。【００４２】
図２に示すように、焦点位置のずれ量が大きくなるに従って、骨表面でのレーザ光のビーム径が大きくなり、エネルギー密度が低下している。このため、焦点位置上方での加工の方が焦点位置下方での加工よりも穴径は大きくなるが、穴深さは小さくなっている。すなわち、焦点位置上方ではビーム径の増加に伴って穴径は大きくなり、穴深さは小さくなる。【００４３】
レーザ加工装置１によって、骨の治療を行なう場合、レーザ加工によって達せられる加工部分の熱影響を小さくすることは、治療期間の短縮や正常細胞への悪影響を抑える上で非常に有効である。【００４４】
ここでは、何れの加工条件（焦点位置０〜１０ｍｍ、ビームオン時間（レーザ照射時間）０．５秒または１．０秒）においても穴径は約０．４ｍｍ〜１．５ｍｍの範囲内で加工（制御）できており、穴周囲に発生する熱影響は約０．１〜０．３ｍｍと極めて僅かな領域の範囲に制限される。【００４５】
図２に示した焦点位置１０ｍｍでの穴径よりも穴径をさらに大きくする必要がある場合には、焦点位置１０ｍｍよりも上方に焦点位置を設定すればよい。また、図２に示したビームオン時間０．５秒での穴径よりも穴径をさらに小さくする必要がある場合にはビームオン時間を０．５秒よりも小さくすればよい。【００４６】
なお、レーザ光による穴加工は、被加工物の表面側から内部へ加工が進展するに従って、レーザエネルギーが加工で消費されて減衰するため、穴径は内部ほど小さくなる。また、ＣＯ2レーザの波長の１０分の１の波長である１．０６μｍのＹＡＧレーザを用いて穴あけ加工を行なった場合であっても、ＣＯ2レーザと同様に熱影響の小さな穴加工が可能である。【００４７】
また、穴あけ加工では、レーザ光の波長が紫外線領域となるＵＶ−ＹＡＧレーザやエキシマレーザ、可視光領域となるグリーンレーザを使用すると、紫外線光や可視光による電子励起の結合分解が起こって光化学加工（アブレーション加工）となり、骨やインプラント材などへの熱影響を赤外レーザであるＣＯ2レーザやＹＡＧレーザよりも小さくすることが可能である。【００４８】
また、ＵＶ−ＹＡＧレーザ、エキシマレーザ、グリーンレーザを用いて、骨やインプラント材へ穴加工を実施すると、赤外レーザであるＣＯ2、ＹＡＧレーザよりも微小な穴加工が可能である。すなわち、使用するレーザの種類（赤外レーザであるＣＯ2レーザやＹＡＧレーザ、紫外レーザであるＵＶ−ＹＡＧレーザ、エキシマレーザ、グリーンレーザ）に関わらず、熱影響の小さな骨およびインプラント材への穴あけ加工が可能である。【００４９】
なお、穴あけ処理は、ＣＯ2レーザ、ＹＡＧレーザ、エキシマレーザ、ＵＶ−ＹＡＧレーザなどの何れのレーザ光も適しており、接合処理はＣＯ2レーザやＹＡＧレーザなど赤外波長を有するレーザ光が適している。【００５０】
なお、レーザ加工装置１によって、被加工物の穴あけ加工と接合加工を連続して行うためには、これら両方の加工をレーザで行ってもよいし、穴あけの熱影響を低減させるために切削などによって予め穴あけを行う工程を実施し、その穴を利用して接合を行うためのレーザ光を照射してもよい。【００５１】
つぎに、レーザ加工装置１からのレーザ光によるインプラント材の接合処理について説明する。図３は、インプラント材にレーザ光を照射して溶融させた場合の処理結果を示す図である。ここでは、インプラント材がセラミックの一種であるアパタイトである場合のインプラント材の上面および断面の一例（種々の熱サイクル下で観察されるアパタイトの溶融状態の一例）を示している。【００５２】
図３の写真（上面）において中央部に穴があり、その周辺に黒色に見える部位が溶融している領域である。レーザ光が照射された中央部は被加工物を一気に溶融から蒸発させるまで温度上昇が発生し、穴が形成されている。一方、穴周辺の部分では、蒸発にいたるまでの熱サイクルが付加されず、溶融から凝固への変化形態をとる。したがって、インプラント材（アパタイト）の溶融処理では、レーザ光の照射条件を変更することによって溶融部の拡大が図れる。【００５３】
ここでは、波長１．０６μｍのＹＡＧレーザを用い、レーザ光照射の出力は２５０Ｗ、焦点位置Ｚは５ｍｍの一定に設定し、ビームオン時間を０．５秒、９．０秒、１２．０秒に変化させた場合の溶融部の状態を示している。なお、ここでのアパタイトの主成分はリン酸カルシウムであり、フリットはコディエライトである。【００５４】
レーザ照射時間を長くすると、レーザ光照射部の溶融領域が１．７ｍｍから２．３ｍｍに拡大する。なお、ここでは図示していないが、焦点位置を変化させることによって、溶融領域を増大させることができる。また、レーザ出力を変化させることによって溶融深さを大きくすることが可能になる。【００５５】
一般的に、セラミックの局部的加熱による溶融では、被加工物の膨張と収縮によりクラックが発生してしまうため、炉中で被加工物全体を過熱し溶融と接合を行う。しかしながら、外科的手術の現場では、このような加工法をとることは空間的にも生体への悪影響を与える面からも困難である。実施の形態のレーザ加工装置１（レーザ照射部１０）によるレーザ加工は、外科手術の際にも狭い空間で生体へ悪影響を及ぼすことなくクラックの発生しないセラミックの溶融を可能としている。換言すると、レーザ加工装置１（レーザ照射部１０）からのレーザ光による加熱は、加工条件決定部３０による加工条件の指示（エネルギーレベル制御部２１、レーザ切替制御部２２、焦点位置制御部２３からの制御）によって、被加工物を温度上昇させる領域が空間的および時間的にクラック発生を抑える範囲内で加工を終了させる特長を有しており、外科的手術方法としても有効である。【００５６】
また、レーザ照射の時間は長く設定するほど溶融領域が拡大するため、接合の強度に応じてレーザ照射の時間を変更する。すなわち、加工条件決定部３０は、接合に強い強度を要求する場合はレーザ照射時間を長く設定し、接合に強い強度が必要でない場合にはレーザ照射時間を短く設定する。加工条件決定部３０は、ユーザからの指示（入力手段からの指令）に基づいてレーザ照射時間を設定してもよいし、輝度検出部４１が検出する輝度に基づいてレーザ照射時間を設定してもよい。【００５７】
また、レーザ加工装置１は、焦点位置の調整や集光光学部品の選択によっても溶融領域を拡大することができる。このため、加工条件決定部３０は、溶融領域に応じた焦点位置を加工条件として選択し、焦点位置制御部２３に指示する。また、レーザ加工装置１において、レーザ加工毎に溶融領域に応じた集光光学部品を選択可能な構成としておいてもよい。例えば、加工条件決定部３０からの指示に基づいて自動で集光光学部品を変更するようレーザ加工装置１を構成しておく。なお、レーザ加工装置１の使用者が予め手動で集光光学部品を変更してもよい。【００５８】
また、加工条件決定部３０は、被加工物から有害で副次的な効果を発生させないエネルギーレベルで穴あけを行なうよう加工条件を決定してエネルギーレベル制御部２１に指示を送る。【００５９】
つぎに、レーザ加工装置１による被加工物の接合処理（異なる材料同士の接合）について説明する。まず、骨とインプラント材の境界部分にレーザ照射を行なった場合の接合処理について説明する。【００６０】
図４は、骨とインプラント材の境界部分にレーザ照射を行なった場合の接合処理を説明するための図である。例えば、骨５１として板厚３ｍｍの牛骨を用い、インプラント材５２としてリン酸カルシウムを主成分とするセラミックスを用いて被加工物の接合処理を行なう。また、レーザ光は波長１０．６μｍのＣＯ2レーザを用い、加工条件はレーザ出力２５０Ｗ，レーザ光照射時間０．５秒、焦点位置３ｍｍ上方として被加工物の接合処理を行なう。【００６１】
レーザ光の照射位置を骨５１とインプラント材５２の境界部として、レーザ加工装置１が被加工物にレーザ光を照射すると瞬時に骨５１に穴があきインプラント材５２は溶融する。レーザ加工装置１がさらにレーザ照射を続けると、その後インプラント材５２の溶融物が骨５１の穴部に進入する。そして、溶融したインプラント材５２が凝固に至って、骨５１とインプラント材５２の接合が完了する。このように、レーザ加工装置１は、骨５１とインプラント材５２の沸点の差を利用している。すなわち、骨５１はインプラント材５２よりも沸点が低いため、レーザ加工装置１からのレーザ照射によって穴があき、インプラント材５２は溶融するだけで穴はあかない。そして、穴のあいた沸点の低い骨５１側に沸点の高いインプラント材５２が流れ込み、骨５１とインプラント材５２が接合する。【００６２】
レーザ光の照射位置を骨５１とインプラント材５２の境界部として被加工物を接合させる際、レーザ加工装置１の輝度検出部４１は、レーザ光の照射位置（骨５１とインプラント材５２の境界部）の輝度を検出する。輝度検出部４１が検出した輝度は、加工条件決定部３０に送られる。【００６３】
加工条件決定部３０は、輝度検出部４１が検出した輝度に基づいて、レーザ光の照射位置に応じたレーザ光、エネルギーレベル、焦点位置を選択（決定）する。このとき、加工条件決定部３０は、予め設定された加工条件（インプラント材５２の種類、骨５１の強度、被加工物の加工領域、所望の接合強度など）を用いて、レーザ光、エネルギーレベル、焦点位置を選択してもよい。【００６４】
加工条件決定部３０は、時間計測部４２が計測するレーザの照射時間や輝度検出部４１が検出する輝度に基づいて、所定時間だけ被加工物にレーザ照射を行なわせ、骨５１とインプラント材５２の接合を完了する。【００６５】
このように、骨５１とインプラント材５２の接合にレーザ光を用いるので、瞬時に良好（強固）な接合部が得られる。また、加工条件決定部３０は、輝度検出部４１が検出した輝度や時間計測部４２が計測する時間に基づいて加工条件を決定し、レーザ照射を行なっているので、被加工物に応じた適切なレーザ照射を行なうことができ、被加工物（骨５１とインプラント材５２の境界部）に応じた適切な接合を行なうことが可能となる。【００６６】
また、レーザ加工装置１による被加工物の接合では、骨５１やインプラント材５２の厚みに関わらず良好な接合部が得られる。このため、種々の生体部位に対してもレーザ光による接合処理が可能となる。【００６７】
なお、ここではインプラント材５２にリン酸カルシウムを用いたが、リン酸カルシウム以外のセラミックスを用いてもよい。また、レーザ加工装置１がレーザ光としてＹＡＧレーザを用いた場合であっても、ＹＡＧレーザはファイバー伝送ができるため、ＣＯ2レーザよりも容易に医療現場へ適用できる。また、骨とインプラント材の境界部分にレーザ照射を行なう場合に、レーザ加工装置１がレーザ光としてＹＡＧレーザを用いた場合であっても、ＣＯ2レーザと同様に良好な接合部を得ることができる。【００６８】
つぎに、骨５１とインプラント材５２の接合面に略垂直な方向からレーザ照射（継ぎ手へのレーザ照射）を行なった場合の接合処理について説明する。ここでは、まず下部がインプラント材５２で上部が骨５１である被加工物の上部（骨５１側）からレーザ照射を行なって骨５１とインプラント材５２を接合する場合について説明し、その後、下部が骨５１で上部がインプラント材５２である被加工物の上部（インプラント材５２側）からレーザ照射を行なって骨５１とインプラント材５２を接合する場合について説明する。【００６９】
図５は、下部がインプラント材で上部が骨である被加工物の上部からレーザ照射を行なった場合の接合処理を説明するための図である。例えば、骨５１には板厚３．０ｍｍの牛骨を用い、インプラント材５２にはリン酸カルシウムを主成分とするセラミックスを用いて被加工物の接合処理を行なう。【００７０】
予め骨５１とインプラント材５２とを密着させておく。レーザ加工装置１は、まず第１ステップとしてレーザ光を骨５１に照射して骨５１の穴あけを実行する（図５の中央に示す状態）。さらに、第２ステップとして骨５１の穴部（穴あけされた箇所）を介してインプラント材５２にレーザ光を照射し、骨５１とインプラント材５２を接合する（図５の右に示す状態)。【００７１】
レーザ加工装置１の加工条件決定部３０は、輝度検出部４１が検出した輝度、時間計測部４２が計測する時間、予め設定された加工条件に基づいて、被加工物の加工条件を決定する。なお、加工条件決定部３０は、骨５１とインプラント材５２との密着状態や要求強度（骨５１とインプラント材５２との接合（加工後））に要求される強度に基づいて、被加工物の加工条件を決定してもよい。レーザ加工装置１は、骨５１への穴あけを目的とした第１ステップとして、例えばレーザ出力４００Ｗ，焦点位置３０ｍｍ上方、照射時間０．２秒の加工条件で骨５１のレーザ加工を行なう。【００７２】
レーザ加工装置１によって骨５１への穴あけが完了すると、輝度検出部４１が検出する輝度が変化する。これにより、レーザ加工装置１は、骨５１の穴部（インプラント材５２の表面）にレーザ光を照射して骨５１とインプラント材５２を接合させることを目的とした第２ステップとして、例えばレーザ出力５００Ｗ、焦点位置３０ｍｍ上方、照射時間１．０秒の加工条件でレーザ加工を行なう。【００７３】
なお、レーザ加工装置１は、時間計測部４２が計測する時間に基づいて、第２ステップの加工条件を変更してもよい。すなわち、加工条件決定部３０は、予め設定された骨５１の板厚、インプラント材５２の種別、第１ステップで決定した加工条件などを用いて、骨５１の穴あけが完了する時間を算出しておき、この算出した時間を用いて第２ステップへの加工条件に切り換えてもよい。【００７４】
レーザ加工装置１が第１ステップのレーザ加工処理を実施した後に骨５１（牛骨）を観察すると、例えばレーザ照射側の穴径（円柱の上面）は２．６ｍｍ、レーザ照射と反対側の穴径（円柱の下面）は１．０ｍｍとなり、テーパ形状を有した穴加工となる。【００７５】
また、レーザ加工装置１が第２ステップのレーザ加工処理を実施した後に被加工物（加工試料）を確認すると、例えば骨５１とインプラント材５２が良好に強く接合されている。これは、骨５１側からレーザ光を照射すると、インプラント材５２の溶融部に骨成分が混合され、その結果混合部が膨張して骨の穴部分に充填されるよう膨張がおきるからである。すなわち、レーザ加工装置１は膨張させたインプラント材５２を骨５１に開けられた穴に充填させるよう被加工物にレーザ照射を行なっている。これにより、レーザ加工装置１のレーザ加工によってテーパ形状の加工が施された骨５１の穴に対してインプラント材５２の溶融物が膨張して接合し、接合部が引張強度とはく離強度に関して高い接合強度を有することとなる。【００７６】
また、下部がインプラント材で上部が骨である被加工物の上部からレーザ照射を行なった場合に、レーザ加工装置１がレーザ光としてＹＡＧレーザを用いた場合であっても、ＣＯ2レーザと同様に良好な接合部を得ることができる。【００７７】
図６は、下部が骨で上部がインプラント材である被加工物の上部からレーザ照射を行なった場合の接合処理を説明するための図である。ここでは、例えば、骨５１には板厚３．０ｍｍの牛骨を用い、インプラント材５２にはリン酸カルシウムを主成分とするセラミックスを用いて被加工物の接合処理を行なう。レーザ加工装置１は、例えば波長１０．６μｍのＣＯ2レーザを用いてレーザ加工を行う。【００７８】
インプラント材５２がレーザ照射側となる場合、図５で説明した現象とは異なる接合プロセスを経て骨５１とインプラント材５２が接合する。すなわち、インプラント材５２がレーザ照射側の場合、まずレーザ光によってインプラント材５２に穴あけが施される（第１ステップ）。次に、レーザ光によってインプラント材５２の穴壁面が溶融する（第２ステップ）。さらに、レーザ照射を続けると、レーザ光によって骨５１に穴があき、インプラント材５２の溶融物が骨５１の穴部に埋め込まれる（第３ステップ）。【００７９】
具体的には、レーザ加工装置１によってインプラント材５２への穴あけが完了すると、輝度検出部４１が検出する輝度が変化する。これにより、レーザ加工装置１は、インプラント材５２の穴部（骨５１の表面）にレーザ光を照射してインプラント材５２の穴壁面を溶融させることを目的とした第２ステップとして、所定の加工条件でレーザ加工を行なう。また、レーザ加工装置１によって穴壁面のインプラント材５２が溶融すると、輝度検出部４１が検出する輝度が変化する。これにより、レーザ加工装置１は、骨５１への穴あけと穴部へのインプラント材５２の埋め込みを目的とした第３ステップとして、所定の加工条件でレーザ加工を行なう。【００８０】
なお、図５で説明した接合処理と同様に、レーザ加工装置１は、時間計測部４２が計測する時間に基づいて、第２ステップの加工条件を変更してもよい。すなわち、加工条件決定部３０は、予め設定された骨５１の板厚、インプラント材５２の種別、第１ステップで決定した加工条件などを用いて、骨５１の穴あけが完了する時間を算出しておき、この算出した時間を用いて第２ステップ、第３ステップへの加工条件に切り換えてもよい。【００８１】
また、下部が骨で上部がインプラント材である被加工物の上部からレーザ照射を行なった場合に、レーザ加工装置１がレーザ光としてＹＡＧレーザを用いた場合であっても、ＣＯ2レーザと同様に良好な接合部を得ることができる。【００８２】
つぎに、インプラント材５２と厚板（板の厚さが厚い板）の骨５１を骨５１側からレーザ照射した場合の接合処理について説明する。ここでは、板厚１０ｍｍの牛骨ブロック（骨５１）とインプラント材５２の接合を行なう場合について説明する。【００８３】
図７は、厚板の骨とインプラント材の接合処理を説明するための図である。例えば、インプラント材５２にはリン酸カルシウムを主成分とするセラミックスを用いて被加工物の接合処理を行なう。【００８４】
下部がインプラント材５２で上部が厚板の骨５１である被加工物の上部（骨５１側）からレーザ照射を行なって骨５１とインプラント材５２を接合する際、レーザ加工装置１は、例えば波長１０．６μｍのＣＯ2レーザを用いてレーザ加工を行う。ここでは、接合時間と骨５１の穴あけ時間の短縮を図るため、例えば骨５１の穴あけ処理と接合処理（骨５１とインプラント材５２の接合処理）を同一の加工条件下で行なう。【００８５】
レーザ加工装置１は、例えばレーザ出力５００Ｗ、焦点位置２０ｍｍ上方、照射角度（インプラント材５２の上面に対する照射角度）４５度、レーザ照射時間１．０秒の加工条件でレーザ加工を行う。ここでは、例えば骨５１とインプラント材５２の境界より骨５１側に０．３ｍｍずらした位置を加工位置としてのレーザ加工装置１にレーザ照射を行なわせる。【００８６】
骨５１とインプラント材５２の接合のプロセスは図４で説明したプロセスと同じである。すなわち、まずレーザ光によって骨５１に穴あけが施され（第１ステップ）、レーザ光によって溶融したインプラント材５２が骨の穴方向に膨張して接合がなされる（第２ステップ）。このように、図７に示した接合処理においてもレーザ加工装置１は、骨５１とインプラント材５２の接合にレーザ光を用いるので、瞬時に良好な接合部が得られる。【００８７】
つぎに、インプラント材５２と薄板（板の厚さが薄い板）の骨５１を骨５１側からレーザ照射した場合の接合処理について説明する。図８は、薄板の骨とインプラント材を接合した場合の画像を示す図である。図８に示すように骨５１が薄板の場合であっても、骨５１が厚板の場合と同様に、レーザ加工装置１は、骨５１とインプラント材５２の接合にレーザ光を用いるので、瞬時に良好な接合部が得られる。すなわち、レーザ加工装置１は、骨５１の厚みによらず、レーザ光によって骨５１とインプラント材５２と接合することができる。【００８８】
なお、厚板の骨５１や薄板の骨５１とインプラント材５２を接合する場合に、レーザ加工装置１がレーザ光としてＹＡＧレーザを用いた場合であっても、ＣＯ2レーザと同様に良好な接合部を得ることができる。【００８９】
なお、レーザ加工装置１は、何れのレーザ発振器や集光光学部品を用いてもよい。レーザ加工装置１は、例えば穴あけの工程では、高いエネルギ密度を得ることが可能なレーザ発振器や集光光学部品を用いることによって微小な穴を得ることが可能となる。【００９０】
また、レーザ加工装置１は、高いエネルギー密度のレーザ発振器や集光光学部品を用いることによって、骨５１やインプラント材５２へのへの熱影響を小さくすることが可能となる。【００９１】
ところで、良好な接合部が得られる場合と、良好でない接合がなされる場合とでは、接合部近傍の輝度が異なる。このため、例えば、輝度のモニタリングを行なわずにレーザ加工を行なうと、穴あけや接合に必要な入熱量以上のレーザエネルギーが骨５１やインプラント材５２に付加されることとなる。そして、被加工物において熱影響を受ける部分が大きくなるとともに、溶融物が凝固せずに飛散し接合が良好になされない。一方、本実施の形態のレーザ加工装置１は、輝度検出部４１が輝度の検出（モニタリング）を行なうとともに、検出した輝度を用いて加工条件を決定しているので、良好な接合部を得ることが可能となる。【００９２】
また、インプラント材５２にアパタイトを使用した場合は、インプラント材５２は熱衝撃に弱いため、入熱量が大きくなるとインプラント材５２にクラックが発生する場合がある。実施の形態のレーザ加工装置１は、インプラント材５２にアパタイトを使用する場合であっても、輝度検出部４１が輝度を検出して加工条件を決定するので、安定した良好な接合部を得ることが可能となる。【００９３】
なお、実施の形態ではレーザ加工装置１が輝度検出部４１や時間計測部４２を備える構成としたが、レーザ加工装置１が輝度検出部４１や時間計測部４２を備えない構成としてもよい。この場合、レーザ加工装置１の使用者が目視によって被加工物の加工状態を検出し、加工条件決定部３０は使用者からの指示情報の入力に基づいて加工条件を決定する。すなわち、レーザ加工装置１は、輝度検出部４１や時間計測部４２による加工状態の検出を行なうことなく、被加工物の加工条件を決定する。【００９４】
また、レーザ加工装置１が加工する被加工物は、骨５１とインプラント材５２の配置は何れが上で何れが下でもよく、また骨５１とインプラント材５２の継ぎ手は重ね継ぎ手、突合せ継ぎ手のいずれでもよい。また、本実施の形態では、骨として牛骨を用いたが、レーザ加工装置１は、人骨を含む何れ動物の骨をレーザ加工してもよい。また、本実施の形態において説明したレーザ加工装置１の各処理のうち、自動的に行なうものとして説明した処理の全部または一部を手動で行なうこととしてもよい。【００９５】
また、レーザ加工装置１は、骨５１とインプラント材５２の接合を、動物の体内で行ってもよいし、動物から骨５１を取り出して動物の体外で行なってもよい。動物から骨５１を取り出して骨５１とインプラント材５２を接合した場合、必要に応じて接合後の骨５１とインプラント材５２が動物の体内に戻される。【００９６】
このように実施の形態１によれば、骨とインプラント材の接合の際に、ＣＯ2レーザやＹＡＧレーザなどのレーザ光を照射するので、骨とインプラント材との間を短時間で容易に接合することが可能となる。【００９７】
また、加工条件決定部３０は、輝度検出部４１が検出した輝度や時間計測部４２が計測する時間に基づいて加工条件を決定し、被加工物にレーザ照射を行なっているので、被加工物に応じた適切なレーザ照射、接合処理を行なうことができる。【００９８】
また、加工条件決定部３０は、加工条件としてレーザ光のエネルギーレベル、レーザ光の種類、焦点位置、レーザ光の照射時間などを決定し、決定した加工条件に基づいて被加工物にレーザ照射を行なわせるので、被加工物の穴あけ処理や接合処理毎に安定した適切な穴あけ処理、接合処理を行なうことが可能となる。【００９９】
また、レーザ加工装置１は骨とインプラント材との間を短時間で容易に接合できるので、骨とインプラント材を接合する治療の際にインプラント材と骨との結合中に相互の位置関係にずれが発生することを防止でき、治療を短期間で容易に行なうことが可能となる。また、従来まで接合治療中に必要であった大掛かりな固定用治具が不要となり、治療中であっても快適な生活を提供することが可能となる。【０１００】
実施の形態２．
つぎに、図１および図９〜１４を用いてこの発明の実施の形態２について説明する。実施の形態２では、非発泡層を基材としたインプラント材５２にレーザ光を照射して、非発泡層の表面層に発泡層（非発泡層を改質した新たな加工層）を形成する。そして、この発泡層の形成によって、発泡層と非発泡層からなる二層構造のインプラント材を作成する。【０１０１】
従来、発泡セラミックスを製造する際には、発泡性原料のセラミックスを溶融させる過程で、セラミックスにガスを発生させる成分（ガス発生成分）を付加することが必要である。ガス発生成分としては、例えば炭化珪素、窒化珪素などを用いる。炭化珪素には、例えば粒径１０μｍ以下の微紛を用いる。【０１０２】
このような発泡セラミックス製造手順としては、まず発泡性原料および非発泡性原料の各構成成分を所定の割合で混合することによって調整する。そして、得られた発泡性原料および非発泡性原料をスプレードライヤー等によって造粒し粒状物にする。次いで、造粒した両粒物を混合し、この混合物を成形原料として形成、焼成する。このときの焼成温度は、ガス発生成分が分解してガスを発生させる温度であって、かつ良好な気泡（気泡壁面）が形成される温度範囲を選定する。これにより、例えばガス発生成分が炭化珪素の場合、焼成により炭化珪素が分解してガス（一酸化炭素）を発生させ、このガスにより焼結層に気泡が形成される。【０１０３】
本実施の形態では、骨にレーザ光などを照射して骨を燃焼させ、骨の燃焼によって生じるガス雰囲気の中でインプラント材を焼結させる。これにより、インプラント材に発泡状態の気泡を閉じ込めて凝固させた発泡層を生成する。【０１０４】
なお、混合物（発泡性原料および非発泡性原料の粒状物）の焼成温度が１０００℃より低いと、素地に十分な粘性がないために気泡ができない。一方、混合物の焼成温度が１３００℃よりも高いと、焼成素地が低粘性となるので形成された気泡が会合して粗大気泡が形成されるようになり、焼結体の強度が低下する。【０１０５】
つぎに、実施の形態２に係るインプラント材の一例として、先述の発泡セラミックスと同様の性質（機能）を有したアパタイトについて説明する。ここでは、まず実施の形態２に係るアパタイトの構造について説明し、その後、このアパタイト製造装置と製造方法について説明する。【０１０６】
図９は、本発明の実施の形態２に係るアパタイトの構造を示す図である。図９に示すアパタイト１０１は、非発泡層（基部層）の表面層の一部（骨との間で接合対象となる接合部）に表面処理を施して発泡層を形成した二層構造を有している。【０１０７】
高エネルギを局部的に付加する表面処理によって形成された気泡を混在させた発泡層１００は、基材２００（非発泡層であるアパタイト基材など）の表面層に形成されている。発泡層１００の気泡は、発泡層１００が骨と接合した際に、発泡層１００への骨細胞の増殖を助けるための例えば１０〜５００μｍ径の気泡である。【０１０８】
発泡層１００と非発泡層である基材２００（先述のインプラント材５２など）との境界部１５０は、接合面が凹凸状態で互いに入り組んだ構造をなしており、強固な接合となっている。基材２００は、緻密な構造であり、応力が加わった場合への十分な強度を有している。【０１０９】
アパタイト１０１を生成する際には、ガス発生成分として基材２００の表層部（上面部や側面部などの基材２００の加工部近傍）に骨（先述の骨５１など）を配置する。そして、骨をレーザ光などで燃焼させた後、その燃焼ガス成分を含んだ雰囲気中で基材２００（成形済みの緻密質基体）を溶融させることによって、発泡層１００に骨の成分が混入することとなる。【０１１０】
図１０は、発泡層の含有成分の分析結果の一例を示す図である。図１０では、発泡層１００の含有成分（Ｖｏｌ％）の分析を実施した結果の一例を示している。ここでの発泡層１００は、含有成分としてＣａ（カルシウム）、Ｃ（炭素）、Ｏ（酸素）、Ｐ（リン）、Ｍｇ（マグネシウム）、Ａｌ（アルミニウム）、Ｓｉ（シリコン）を含んでいる。Ｃａ、Ｃ、Ｏは、骨の成分濃度に近く、Ｐは骨の成分濃度よりも少し減少している。Ｐの減少は、基材２００を溶融させる際の高エネルギによって、Ｐが昇華したためであると考えられる。【０１１１】
骨の燃焼と基材２００の溶融の後に、発泡層１００の表面（骨との間の接合面）を研削または研磨することによって、発泡層１００の表面にある閉気泡が研削され、閉気泡の断面が露出する。これにより、骨との接合面である表面改質層を有した本実施の形態に係るアパタイト（発泡アパタイト）が得られる。【０１１２】
本実施の形態では、骨の成分に近い成分がアパタイトに含まれているので、骨とアパタイトとの接合の際に、アパタイトに細胞浸潤性の作用が働いて骨とアパタイト１０１が短時間で結合する。また、発泡層１００の表面において閉気泡の断面が露出しているので、閉気泡の断面が露出していない場合よりも、短時間で骨とアパタイト１０１が結合する。【０１１３】
なお、骨の燃焼と基材２００の溶融に、電子ビームやプラズマアークなどの熱源を使用しても、レーザ光で骨の燃焼と基材２００を溶融させた場合と同様の効果が得られる。この場合、レーザ照射部（熱源照射部）１０から電子ビームやプラズマアークなどの熱源を照射する。また、複数の熱源がある場合は、レーザ切替制御部（熱源切替制御部）２２が熱源の種類を変更する。また、加工条件（骨や基材２００に加える熱源エネルギ）を適宜調整することによって、発泡層１００内の気泡の数量や径を調整できる。このため、アパタイト１０１の用途に応じて加工条件を調整することによって、所望の性質を有したアパタイト１０１を得ることができる。例えば、骨や基材２００に加えるレーザ光、電子ビーム、プラズマアークなどの熱源エネルギ（加工条件）を適宜調整することによって、要求品質のアパタイト１０１を得ることができる。以下では、レーザ加工装置をアパタイト１０１の製造装置の一例として、アパタイト１０１の製造処理を説明する。ここでは、レーザ加工装置の構成を説明した後、アパタイト１０１の製造手順について説明する。【０１１４】
本発明の実施の形態２に係るレーザ加工装置の構成は、実施の形態１の図１で示したレーザ加工装置１と同様の装置である。ここでは実施の形態１のレーザ加工装置２と同一機能を達成する構成要素についてはその説明を省略し、実施の形態１のレーザ加工装置１と異なる機能について説明する。なお、輝度検出は作業者の熟練度に応じて、熟練した作業者の視覚的判断で処理することも可能であるため、輝度検出部４１を備えない装置でも対応することはできる。【０１１５】
ここでのレーザ加工装置１は、インプラント材５２（アパタイト）などの基材２００にレーザ光を照射してインプラント材５２などに発泡層１００を形成させ、アパタイト１０１などの新たなインプラント材を作成する。レーザ加工装置１は、必要に応じて骨５１にレーザ光を照射して骨５１の穴あけを行う。【０１１６】
本実施の形態の輝度検出部４１は、被加工物の加工状態として被加工物の輝度を検出し、加工条件決定部３０に送る。時間計測部４２は、被加工物の加工状態としてレーザ加工を開始してからの経過時間（インプラント材５２へのレーザ照射を開始してからの経過時間）などを計測し、計測中の経過時間を加工条件決定部３０に送る。【０１１７】
つぎに、レーザ加工装置１によるレーザ加工処理について説明する。レーザ加工装置１のレーザ照射部１０は、例えばレーザ光として直径約０．３ｍｍ以下に集光させたエネルギ密度が１０3Ｗ／ｃｍ2以上の高エネルギ密度を適用する。これにより、レーザ光による加工領域を絞る（局部的にする）ことが可能となり、かつ短時間で被加工物への穴あけ加工や溶融加工が可能となる。また、レーザ加工装置１は、加工条件決定部３０による加工条件（レーザ光の出力条件）の選択（決定）によって、被加工物を溶融させる時間（溶融時間）、被加工物の溶融範囲を制御することができる。また、レーザ加工装置１は、加工条件決定部３０による加工条件の選択によって、金属、樹脂、セラミックスなどの被加工物を幅広く穴あけ処理や溶融処理することができる。【０１１８】
つぎに、レーザ加工装置１によるアパタイト１０１の製造方法について説明する。図１１は、骨の欠損部へインプラント材を充填してアパタイトを製造する手順を説明するための図である。まず、初期欠損状態の骨５１の欠損部に非発泡層であるアパタイト（基材２００であるインプラント材５２）を挿入する。これにより、骨５１の欠損部へアパタイト（インプラント材５２）を充填する。【０１１９】
つぎに、レーザ光をアパタイト（インプラント材５２）に照射し、インプラント材５２の上部（表面層）に発泡アパタイトを生成する。そして、生成した発泡アパタイト（発泡層１００）で骨５１の欠損部を充填させることによってアパタイト１０１を製造する。【０１２０】
レーザ光をインプラント材５２に照射する際には、レーザ加工装置１の輝度検出部４１は、レーザ光の照射位置（インプラント材５２の上面）の輝度を検出しておく。輝度検出部４１が検出した輝度は、加工条件決定部３０に送られる。【０１２１】
加工条件決定部３０は、輝度検出部４１が検出した輝度に基づいて、インプラント材５２や骨５１の種類（材質、サイズなど）に応じたレーザ光、エネルギーレベル、焦点位置などの加工条件を選択する。【０１２２】
なお、加工条件決定部３０は、予め設定された加工条件を用いて、レーザ光、エネルギーレベル、焦点位置などを選択してもよい。また、加工条件決定部３０は、骨５１と発泡層１００との密着状態や要求強度に基づいて、被加工物の加工条件を決定してもよい。【０１２３】
また、レーザ光をインプラント材５２に照射する際、レーザ照射の時間を長く設定するほどインプラント材５２の溶融領域が拡大する。このため、欠損部へ充填させたインプラント材５２のサイズ（上面の面積）に応じてレーザ照射の時間を変更してもよい。また、加工条件決定部３０は、ユーザからの指示に基づいてレーザ照射時間を設定してもよい。【０１２４】
レーザ加工装置１は、加工条件決定部３０が決定した加工条件を用いてインプラント材５２の加工を開始する。加工条件決定部３０は、時間計測部４２が計測するレーザの照射時間や輝度検出部４１が検出する輝度に基づいて、所定時間だけ被加工物（インプラント材５２）にレーザ照射を行なわせ、レーザ加工装置１は、アパタイト１０１の製造を完了する。【０１２５】
このように、加工条件決定部３０は、輝度検出部４１が検出した輝度や時間計測部４２が計測する時間に基づいて加工条件を決定し、レーザ照射を行なっているので、被加工物に応じた適切なレーザ照射を行なうことができ、被加工物（骨５１とインプラント材５２）に応じた適切なアパタイト１０１の製造を行なうことが可能となる。なお、インプラント材５２が溶融して発泡層１００が形成されると、輝度検出部４１が検出する輝度が変化するので、この輝度の変化に応じて加工条件を変更してもよい。【０１２６】
固体状態の非発泡アパタイト（インプラント材５２）を、骨５１の欠損部に対して充填させるためには、非発泡アパタイトの寸法を欠損部の寸法よりも小さくせざるを得ない。このため、従来までは、非発泡アパタイトを骨５１に充填しても、非発泡アパタイトと骨５１との間に隙間を生じ、骨５１への非発泡アパタイトの固定が困難であった。【０１２７】
本実施の形態では、非発泡アパタイトを骨５１の欠損部に充填した後に非発泡アパタイトにレーザ光を照射しているので、非発泡アパタイトが溶融される熱で骨５１も燃焼する。これにより、骨５１が気泡の生成を増加させるガスを発生させ、非発泡アパタイトの表面層に発泡層１００を形成する。この発泡層１００は、レーザ光を照射する前の非発泡アパタイトよりも体積が増加しているので、骨５１と発泡層１００との密着性が増加し、欠損部内でアパタイト（非発泡アパタイトと発泡層１００）を固定する効果がある。【０１２８】
図１２は、図１１に示した手順によって製造したアパタイトの画像を示す図である。ここでは、レーザ加工装置１０１が骨５１の欠損部に発泡アパタイトを生成させた例を示している。【０１２９】
なお、レーザ加工装置１によるアパタイト１０１の製造（発泡層１００の生成）は、歯の欠損部へも適用可能であり、骨５１の場合と同様に品質の高い充填を行なうことができる。また、骨５１の欠損部に挿入するアパタイトの形状は、粒状、粉末、粉砕破片など、何れの形状であってもよい。【０１３０】
つぎに、インプラント材５２の上面に骨５１を配設してアパタイトを製造する手順について説明する。図１３は、インプラント材の上面に骨を配設してアパタイトを製造する手順を説明するめの図である。ここでは、骨５１を高エネルギの熱源で燃焼することによって発生したガス雰囲気中で、アパタイト表面層を高エネルギの熱源で溶融させアパタイトを表面改質する方法を示している。【０１３１】
まず、インプラント材５２の表面改質を予定している箇所の近傍（インプラント材５２の上面）に骨５１を配置し、レーザ光などの高エネルギ熱源を用いて骨５１を上面側（インプラント材５２と反対側の面）から骨５１を燃焼させる。これにより、骨５１に穴が開き、インプラント材５２が露出する。このときの骨５１の燃焼によって発生するガス雰囲気中でアパタイト表面（インプラント材５２）を高エネルギ熱源にて溶融させる。これにより、インプラント材５２の溶融層に骨５１の燃焼物が進入し発泡層１００が形成される。【０１３２】
発泡層１００は、生体系セラミックス部品（アパタイト１０１）の表層のみに形成されるので、生体系セラミックス部品全体への入熱が少なく、精度の高い生体系セラミックス部品を得ることができる。【０１３３】
つぎに、アパタイト表面層を溶融させるための加工条件について説明する。図１４は、アパタイト表面層を溶融させるための加工条件の一例を示す図である。ここでは、アパタイト表面層を溶融させるための加工条件の一例として、ＣＯ2レーザ加工でアパタイト表面層を０．８ｍｍだけ溶融させるための加工条件示している。【０１３４】
アパタイト表面層へのレーザ出力が大きくなるほど、アパタイト表面層を溶融させるためのレーザ照射時間は短くなる。また、アパタイト表面層へのレーザ出力が小さくなるほど、アパタイト表面層を溶融させるためのレーザ照射時間のばらつきが大きくなる。【０１３５】
一般に、発泡セラミックス（アパタイト表面層）の生成温度（焼成温度）が低い場合（例えば１０００℃）、溶融する基材２００が高粘性となり気泡の径は小さくなる。一方、発泡セラミックスの生成温度が高い場合（例えば１３００℃）、溶融する基材２００が低粘性となり、形成される気泡が会合して気泡の径が大きくなる。また、発泡セラミックスへの気泡の含有量は、気泡が拡散される時間が大きく影響し、溶融する基材２００の溶融時間が長いほど気泡の含有量が増加する。【０１３６】
図１４に示したレーザ光の出力量とレーザ光の照射時間の関係を示す加工条件で、アパタイト１０１を生成すると、レーザ光の出力量が大きいほど、気泡の径は大きくなる。また、レーザ光の照射時間が長いほど、気泡の径は大きくなり、気泡の径が大きく含有量が大きくなる。【０１３７】
気泡の径は、３００〜４００μｍで細胞（骨５１）の浸潤性が高くなるが、強度は低下する。このため、アパタイト１０１と骨５１との接合面の一部分においては、細胞の成長を高めることを優先して気泡径を３００〜４００μｍとし、これ以外の他の部分は接合面の強度を優先して気泡径を２００μｍ以下となるよう、発泡層１００の種類を組み合わせてアパタイト１０１を作成してもよい。例えば、骨５１とアパタイト１０１の接合面積４００ｍｍ2のうち、２００ｍｍ2を出力１０００Ｗでレーザ加工し、残りの２００ｍｍ2を出力４００Ｗでレーザ加工するなどの加工条件の切り替えを行ってアパタイト１０１を作成する。【０１３８】
加工物（アパタイト１０１）を挿入する骨５１の位置や、加工物を挿入する骨の種類（例えば骨５１とアパタイト１０１との接合対象者の年齢）に応じて、骨５１とアパタイト１０１との間に加わる応力の度合いが異なる。このため、骨５１とアパタイト１０１との接合処理毎に、アパタイト１０１に形成する発泡層１００の種類の最適面積比をシュミレーションし、加工条件に応じた基材２００の加工面積の割合を決定してもよい。【０１３９】
ところで、アパタイト１０１を製造する場合に、アパタイト１０１に良好な表面改質層（インプラント材５２の表面層）が得られる場合と、良好な表面改質層が得られない場合（骨５１との間で良好でない接合がなされる場合）とでは、表面改質部近傍の輝度が異なっている。このため、例えば、輝度のモニタリングを行なわずにレーザ加工を行なうと、発泡層の形成に必要な入熱量以上のレーザエネルギーがインプラント材５２に付加されることとなる。そして、被加工物において熱影響を受ける部分が大きくなるとともに、インプラント材５２などの溶融物が凝固せずに飛散しアパタイト１０１の表面改質が良好になされない。一方、本実施の形態のレーザ加工装置１は、輝度検出部４１が輝度の検出（モニタリング）を行なうとともに、検出した輝度を用いて加工条件を決定しているので、良好な表面改質部を得ることが可能となる。【０１４０】
また、アパタイトは、熱衝撃に弱いため、入熱量が大きくなるとアパタイトにクラックが発生する場合がある。本実施の形態のレーザ加工装置１は、輝度検出部４１が輝度を検出して加工条件を決定するので、安定した良好な接合部を得ることが可能となる。【０１４１】
なお、本実施の形態ではレーザ加工装置１が輝度検出部４１や時間計測部４２を備える構成としたが、レーザ加工装置１が輝度検出部４１や時間計測部４２を備えない構成としてもよい。この場合、レーザ加工装置１の使用者が目視によって被加工物の加工状態を検出し、加工条件決定部３０は使用者からの指示情報の入力に基づいて加工条件を決定する。すなわち、レーザ加工装置１は、輝度検出部４１や時間計測部４２による加工状態の検出を行なうことなく、被加工物の加工条件を決定する。【０１４２】
これにより、細胞浸潤性に優れた性質のアパタイト１０１を得ることができ、骨組織と生体材料であるセラミックや複合素材などのインプラント材料（外科用の移植材料）を強固に接合することができる。【０１４３】
このように、今回、我々が鋭意研究した結果、形成済みのアパタイト材料の表面層のみに発泡層を形成する技術を開発することに成功した。これにより、アパタイト成分から製造された生体部品を発泡層と非発泡層との少なくとも二層構造にしたり、非発泡層の一部を発泡層にすることが可能となった。【０１４４】
この結果、生体組織に対して親和性に優れた材料に対して、細胞の浸潤を増長させることが必要な部分のみを発泡層とし、大きな応力を受ける部分を非発泡層とする設計が可能となる。【０１４５】
また、生体部品を作成する際のエネルギの制御によって、発泡層の気泡径や気泡密度を、生体部品の用途に応じて最適化することができる。さらに、骨を蒸発させた雰囲気ガス中でインプラント材の発泡層を生成するため、骨成分がインプラント材の内部に残留し、骨細胞の成長を補助することができる。これにより、骨とアパタイトを接合した際に、骨細胞の成長を促すことが可能となり、迅速に骨とアパタイトを接合することが可能となる。【０１４６】
なお、本実施の形態では、基材がアパタイトであるインプラント材を用いて新たなアパタイト（インプラント材）を作成することとしたが、アパタイト以外のインプラント材（樹脂やセラミックスなど）をを基材として新たなインプラント材を作成してもよい。【０１４７】
このように実施の形態２によれば、インプラント材５２の表面改質位置にレーザ光などの熱源エネルギを照射しているので、非発泡層（インプラント材５２）の一部に発泡層１００を形成したアパタイト１０１を容易に得ることができる。これにより、アパタイト１０１と骨とを接合した際に、発泡層１００で骨細胞の成長を促進できるとともに、非発泡層で応力の加わる部分を強固に固定できる。したがって、骨とインプラント材との間を短時間で容易に接合できるアパタイトを得ることが可能となる。【０１４８】
また、加工条件決定部３０は、輝度検出部４１が検出した輝度や時間計測部４２が計測する時間に基づいて加工条件を決定し、被加工物にレーザ照射を行なっているので、被加工物に応じた適切なレーザ照射、表面改質処理を行なうことができる。
【産業上の利用可能性】
【０１４９】
以上のように、本発明に係るレーザ加工装置、骨の接合方法、インプラント材、インプラント材製造方法およびインプラント材製造装置は、骨とインプラント材との接合に適している。
【図１】
2008023708.tif 000003
【図４】
2008023708.tif 000004
【図５】
2008023708.tif 000005
【図６】
2008023708.tif 000006
【図７】
2008023708.tif 000007
【図１０】
2008023708.tif 000008
【図１１】
2008023708.tif 000009
【図１３】
2008023708.tif 000010
【図１４】
2008023708.tif 000011
【図２】
2008023708.tif 000012
【図３】
2008023708.tif 000013
【図８】
2008023708.tif 000014
【図９】
2008023708.tif 000015
【図１２】
2008023708.tif 000016
【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
骨とインプラント材を接合する骨の接合方法において、
前記骨とインプラント材との接合位置にレーザ光を照射して前記骨とインプラント材とを接合させる接合ステップを含むことを特徴とする骨の接合方法。
【請求項２】
前記接合ステップは、前記レーザ光の照射によって溶融させたインプラント材を前記骨に開けられた穴に流し込むよう前記骨とインプラント材との接合位置にレーザ光を照射することを特徴とする請求項１に記載の骨の接合方法。
【請求項３】
前記接合ステップは、前記レーザ光の照射によって膨張させたインプラント材を前記骨に開けられた穴に充填させるよう前記骨とインプラント材との接合位置にレーザ光を照射することを特徴とする請求項１に記載の骨の接合方法。
【請求項４】
前記接合ステップの前に、前記骨または前記インプラント材にレーザ光を照射して、前記骨または前記インプラント材を前記骨とインプラント材との接合位置まで穴あけ処理する開口ステップをさらに含み、
前記接合ステップは、前記開口ステップであけた穴を介して前記骨とインプラント材との接合位置にレーザ光を照射することを特徴とする請求項１に記載の骨の接合方法。
【請求項５】
前記接合ステップは、前記骨またはインプラント材に予めあけられた穴を介して前記骨とインプラント材との接合位置にレーザ光を照射することを特徴とする請求項１に記載の骨の接合方法。
【請求項６】
前記接合ステップは、
前記骨とインプラント材との接合位置にレーザ光を照射して前記骨とインプラント材とを接合させる際の前記骨および／またはインプラント材の加工状態を検出する加工状態検出ステップと、
検出した加工状態に応じて前記骨とインプラント材とを接合させる際の前記骨および／またはインプラント材の加工条件を決定する加工条件決定ステップと、
決定した加工条件に基づいて、前記骨とインプラント材とを接合させる際のレーザ光の照射を制御する制御ステップと、
を含むことを特徴とする請求項１に記載の骨の接合方法。
【請求項７】
前記接合ステップは、
前記骨とインプラント材との接合位置にレーザ光を照射して前記骨とインプラント材とを接合させる際の前記骨とインプラント材とを密着させる密着ステップと、
前記骨とインプラント材との密着状態および／または要求強度に応じて前記骨とインプラント材とを接合させる際の前記骨および／またはインプラント材の加工条件を決定する加工条件決定ステップと、
決定した加工条件に基づいて、前記骨とインプラント材とを接合させる際のレーザ光の照射を制御する制御ステップと、
を含むことを特徴とする請求項１に記載の骨の接合方法。
【請求項８】
前記接合ステップは、
前記骨とインプラント材との接合位置にレーザ光を照射して前記骨とインプラント材とを接合させる際の前記骨とインプラント材とを密着させる密着ステップと、
前記骨とインプラント材との接合位置にレーザ光を照射して前記骨とインプラント材とを接合させる際の前記骨および／またはインプラント材の加工状態を検出する加工状態検出ステップと、
前記骨とインプラント材との密着状態、要求強度および／または検出した加工状態に応じて前記骨とインプラント材とを接合させる際の前記骨および／またはインプラント材の加工条件を決定する加工条件決定ステップと、
決定した加工条件に基づいて、前記骨とインプラント材とを接合させる際のレーザ光の照射を制御する制御ステップと、
を含むことを特徴とする請求項１に記載の骨の接合方法。
【請求項９】
前記接合ステップは、
前記骨の欠損部に前記インプラント材を挿入する挿入工程と、
前記骨の欠損部に挿入されたインプラント材に前記レーザ光を照射して前記インプラント材を溶融させる溶融工程と、
前記レーザ光で前記骨を燃焼させるとともに、溶融した前記インプラント材に前記骨の燃焼によって生じるガス雰囲気の中で発泡状態の気泡を発生させる発泡工程と、
前記インプラントへの前記レーザ光の照射を停止することによって前記発泡状態の気泡を閉じ込めて凝固させた発泡層を前記インプラント材に生成し、凝固させた発泡層と前記骨とを接合する凝固工程と、
を含むことを特徴とする請求項１に記載の骨の接合方法。
【請求項１０】
前記インプラント材は、アパタイトであることを特徴とする請求項１に記載の骨の接合方法。
【請求項１１】
骨および／またはインプラント材にレーザ光を照射して骨および／またはインプラント材のレーザ加工を行うレーザ加工装置において、
前記骨とインプラント材との接合位置にレーザ光を照射して前記骨に穴をあけるとともに前記インプラント材を溶融させ、前記骨にあけた穴に溶融したインプラント材を充填させるレーザ照射部と、
前記骨とインプラント材とを接合させる際の前記骨および／またはインプラント材の加工条件を決定する加工条件決定部と、
前記加工条件決定部が決定した加工条件に基づいて、前記骨とインプラント材とを接合させる際のレーザ光の照射を制御する制御部と、
を備えることを特徴とするレーザ加工装置。
【請求項１２】
前記レーザ照射部が前記接合位置にレーザ光を照射して前記骨とインプラント材とを接合させる際の前記骨および／またはインプラント材の加工状態を検出する加工状態検出部をさらに備え、
前記加工条件決定部は、前記加工状態検出部が検出した加工状態に応じて前記骨および／またはインプラント材の加工条件を決定することを特徴とする請求項１１に記載のレーザ加工装置。
【請求項１３】
前記レーザ照射部は、前記骨またはインプラント材にレーザ光を照射して前記骨またはインプラント材の穴あけ処理を行なうとともに、前記加工状態検出部は前記骨またはインプラント材の穴あけ処理を行なう際の加工状態を検出し、かつ前記加工条件決定部は前記骨またはインプラント材の穴あけ処理を行なう際の加工条件を決定し、かつ前記制御部は前記骨またはインプラント材の穴あけ処理を行なう際のレーザ光の照射を制御することを特徴とする請求項１１に記載のレーザ加工装置。
【請求項１４】
前記制御部は、前記レーザ照射部が照射するレーザ光のエネルギーレベルを制御するエネルギーレベル制御部を有することを特徴とする請求項１１に記載のレーザ加工装置。
【請求項１５】
前記制御部は、前記レーザ照射部が照射するレーザ光の種類の切替えを制御するレーザ切替制御部を有することを特徴とする請求項１１に記載のレーザ加工装置。
【請求項１６】
前記制御部は、前記レーザ照射部が照射するレーザ光の焦点位置を制御する焦点位置制御部を有することを特徴とする請求項１１に記載のレーザ加工装置。
【請求項１７】
前記制御部は、前記レーザ照射部が照射するレーザ光のビームオン時間を制御することを特徴とする請求項１１に記載のレーザ加工装置。
【請求項１８】
前記加工状態検出部は、前記骨および／またはインプラント材の輝度を検出する輝度検出部を有し、
前記加工条件決定部は、前記輝度検出部が検出した輝度に応じた加工条件を決定することを特徴とする請求項１１に記載のレーザ加工装置。
【請求項１９】
前記加工状態検出部は、前記骨および／またはインプラント材へのレーザ照射時間を計測する時間計測部を有し、
前記加工条件決定部は、前記時間計測部が計測したレーザ照射時間に応じた加工条件を決定することを特徴とする請求項１１に記載のレーザ加工装置。
【請求項２０】
成形済みの緻密質基体で形成された基部層と、
前記基部層のうち骨との間で接合対象となる接合部に前記骨の燃焼によって生じるガス雰囲気中で所定の表面処理を施すことによって生成された層であって発泡状態の気泡を閉じ込めて凝固させた発泡層と、
を備えることを特徴とするインプラント材。
【請求項２１】
前記発泡層は、当該発泡層が前記表面処理された側から前記発泡層の表面を研磨または研削されることによって前記気泡の断面が露出させられていることを特徴とする請求項２０に記載のインプラント材。
【請求項２２】
前記発泡層は、前記気泡の径および／または気泡の密度を変化させた層が複数種類組み合わせられていることを特徴とする請求項２０に記載のインプラント材。
【請求項２３】
前記基部層はアパタイトであり、前記発泡層は発泡アパタイトであることを特徴とする請求項２０に記載のインプラント材。
【請求項２４】
骨に熱源を照射して前記骨を燃焼させる骨燃焼工程と、
前記骨の燃焼によって生じるガス雰囲気の中で前記熱源を焼結済みのインプラント材に照射して前記インプラント材を溶融させ、溶融したインプラント材に発泡状態の気泡を閉じ込めて凝固させた発泡層を生成する発泡層生成工程と、
を含むことを特徴とするインプラント材製造方法。
【請求項２５】
前記発泡層生成工程の後に、前記インプラント材が熱源を照射された側から前記発泡層の表面を研磨または研削して前記気泡の断面を露出させる気泡露出工程をさらに含むことを特徴とする請求項２４に記載のインプラント材製造方法。
【請求項２６】
前記発泡層生成工程は、前記気泡の径および／または気泡の密度を変化させた層で、かつ前記発泡層に要求される細胞浸潤性または強度に応じた層を複数種類組み合わせた発泡層を、前記熱源の照射を制御することによって生成することを特徴とする請求項２４または２５に記載のインプラント材製造方法。
【請求項２７】
骨に熱源を照射して前記骨を燃焼させる骨燃焼工程と、
前記骨の燃焼によって生じるガス雰囲気の中でインプラント材を焼結させるとともに、前記インプラント材に発泡状態の気泡を閉じ込めて凝固させた発泡層を生成する発泡層生成工程と、
を含むことを特徴とするインプラント材製造方法。
【請求項２８】
成形済みの緻密質基体で形成されたインプラント材に熱源を照射して前記インプラント材に新たな加工層を生成するインプラント材製造装置において、
前記インプラント材に隣接配置された骨を前記熱源によって燃焼させるとともに、前記インプラント材のうち表面改質の対象となる表面改質位置に前記熱源を照射して前記表面改質位置のインプラント材を溶融させ、前記骨の燃焼によって生じるガス雰囲気中で前記表面改質位置のインプラント材を発泡焼結させる熱源照射部と、
前記インプラント材の表面改質処理を行う際の前記インプラント材の加工条件を決定する加工条件決定部と、
前記加工条件決定部が決定した加工条件に基づいて、前記インプラント材の表面改質処理を行う際の熱源の照射を制御する制御部と、
を備えることを特徴とするインプラント材製造装置。
【請求項２９】
前記レーザ照射部が前記表面改質位置に熱源を照射して前記インプラント材の表面改質を行う際のインプラント材の加工状態を検出する加工状態検出部をさらに備え、
前記加工条件決定部は、前記加工状態検出部が検出した加工状態に応じて前記インプラント材の加工条件を決定することを特徴とする請求項２８に記載のインプラント材製造装置。
【請求項３０】
前記制御部は、前記レーザ光照射部が照射ずる熱源のエネルギーレベルを制御するエネルギーレベル制御部を有することを特徴とする請求項２８に記載のインプラント材製造装置。
【請求項３１】
前記制御部は、前記レーザ照射部が照射する熱源の種類の切替えを制御する熱源切替制御部を有することを特徴とする請求項２８に記載のインプラント材製造装置。
【請求項３２】
前記制御部は、前記熱源照射部が照射する熱源の焦点位置を制御する焦点位置制御部を有することを特徴とする請求項２８に記載のインプラント材製造装置。
【請求項３３】
前記制御部は、前記熱源照射部が照射する熱源の照射オン時間を制御することを特徴とする請求項２８に記載のインプラント材製造装置。
【請求項３４】
前記加工状態検出部は、前記インプラント材の輝度を検出する輝度検出部を有し、
前記加工条件決定部は、前記輝度検出部が検出した輝度に応じた加工条件を決定することを特徴とする請求項２８に記載のインプラント材製造装置。
【請求項３５】
前記加工状態検出部は、インプラント材への熱源照射時間を計測する時間計測部を有し、
前記加工条件決定部は、前記時間計測部が計測した熱源照射時間に応じた加工条件を決定することを特徴とする請求項２８に記載のインプラント材製造装置。
【請求項３６】
前記インプラント材は、アパタイトであることを特徴とする請求項２８に記載のインプラント材製造装置。
【請求項３７】
前記熱源は、レーザ光、プラズマアーク、電子ビームの少なくとも１つであることを特徴とする請求項２８に記載のインプラント材製造装置。
【請求項３８】
骨にレーザ光を照射して前記骨に穴をあける穴あけ部と、
前記骨に近接配置されたインプラント材にレーザ光を照射することによって前記インプラント材を溶融させるとともに、溶融させた前記インプラント材を膨張させた状態で前記骨の穴内に充填させることによって前記骨と前記インプラント材とを接合する接合部と、
を備えることを特徴とするレーザ加工装置。
【請求項３９】
前記インプラント材は前記骨の下部側に近接配置され、
前記穴あけ部は、
前記骨の上部側から前記骨にレーザ光を照射することによって前記骨の上部側から前記インプラント材に到る穴を前記骨にあけ、
前記接合部は、
前記穴あけ部があけた穴を介して前記インプラント材にレーザ光を照射することによって前記インプラント材を溶融させることを特徴とする請求項３８に記載のレーザ加工装置。
【請求項４０】
前記基部層は、非発泡層であることを特徴とする請求項２０に記載のインプラント材。
【請求項４１】
前記発泡層は、前記非発泡層である基部層の前記接合部に熱源が照射されて形成されていることを特徴とする請求項４０に記載のインプラント材。
【国際調査報告】
2008023708.tif 000017
2008023708.tif 000018
2008023708.tif 000019
2008023708.tif 000020
2008023708.tif 000021
2008023708.tif 000022